【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
電力メータをローカル発電機インバータに相互接続するためのシステムであって、
該電力メータの複数のピンに対応する複数のレセプタクルを含むメータソケットと、
該メータソケットと該電力メータとを接続するように構成されたソケットアダプタであって、該ソケットアダプタは、該電力メータと該メータソケットとの間に配置されており、かつ、施設の電力消費を測定するための少なくとも１つのマイクロプロセッサと、該ローカル発電機インバータと通信するための電力線通信モジュールとを含む、ソケットアダプタと
を備える、システム。
【請求項２】
前記メータソケットの消費者側に接続された前記施設に対するブレーカパネルをさらに備える、請求項１に記載のシステム。
【請求項３】
電力線に接続された複数のデバイスの電力消費を測定するための、前記ソケットアダプタと通信している電力線ベースの通信ネットワークをさらに備える、請求項１に記載のシステム。
【請求項４】
前記電力線ベースの通信ネットワークは、電力線通信のためのＩＥＥＥ１９０１規格案に準拠する、請求項３に記載のシステム。
【請求項５】
前記ソケットアダプタは、電力測定電子機器をさらに備える、請求項１に記載のシステム。
【請求項６】
前記ローカル発電機インバータは、前記ソケットアダプタに形成されたポートを介して該ソケットアダプタに直接的に接続される、請求項１に記載のシステム。
【請求項７】
前記ソケットアダプタは、インテリジェント電力管理ユニットをさらに備える、請求項１に記載のシステム。
【請求項８】
前記ソケットアダプタは、内蔵電力測定電子機器および前記電力線通信モジュールに接続される統合された測定コイルをさらに備える、請求項１に記載のシステム。
【請求項９】
前記ソケットアダプタは、内蔵電力測定電子機器および前記電力線通信モジュールに接続されるセンサをさらに備える、請求項１に記載のシステム。
【請求項１０】
前記ソケットアダプタは、前記電力メータ上に電圧タップをさらに備える、請求項１に記載のシステム。
【請求項１１】
前記電圧タップは、前記施設に供給される電力の電圧を測定するために利用される、請求項１０に記載のシステム。
【請求項１２】
前記電圧タップは、前記電力線通信モジュールに電力を提供する、請求項１０に記載のシステム。
【請求項１３】
ローカル発電機インバータを電力公益事業供給者に相互接続するための方法であって、
電力消費および電力品質を測定するための既存の電力メータを設置するステップと、
該電力公益事業供給者への電線管と電力消費者への電線管との間に位置付けられるメータソケットを設置するステップと、
該既存の電力メータと該メータソケットとの間にソケットアダプタを据え付けるステップと
を含み、該ソケットアダプタは、該ローカル発電機インバータに接続される、方法。
【請求項１４】
電力線の範囲内の複数のデバイスの電力消費を測定するために、電力線ベースの通信ネットワークを前記ソケットアダプタに接続するステップをさらに含む、請求項１３に記載の方法。
【請求項１５】
前記電力線ベースの通信ネットワークは、電力線通信のためのＩＥＥＥ１９０１規格案に準拠する、請求項１４に記載の方法。
【請求項１６】
電力メータをローカル発電機インバータに相互接続するためのソケットアダプタであって、
メータソケットの対応するレセプタクルに係合するように構成された複数のピンと、
該電力メータの対応するピンに係合するように構成された複数のレセプタクルと、
施設の電力消費を測定するための少なくとも１つのマイクロプロセッサと、
該ローカル発電機インバータと通信するための電力線通信モジュールと
を含む、ソケットアダプタ。
【請求項１７】
前記メータソケットの消費者側は、前記施設に対するブレーカパネルに接続されている、請求項１６の記載のソケットアダプタ。
【請求項１８】
前記電力線通信モジュールは、複数のデバイスの電力消費を測定するための、電力線ベースの通信ネットワークと通信している、請求項１６に記載のソケットアダプタ。
【請求項１９】
前記電力線ベースの通信ネットワークは、電力線通信のためのＩＥＥＥ１９０１規格案に準拠する、請求項１８に記載のソケットアダプタ。
【請求項２０】
電力測定電子装置をさらに含む、請求項１６に記載のソケットアダプタ。
【請求項２１】
前記ローカル発電機インバータは、前記ソケットアダプタに形成されたポートを介して該ソケットアダプタに直接的に接続される、請求項１６に記載のソケットアダプタ。
【請求項２２】
前記ソケットアダプタは、電圧タップをさらに備える、請求項１６に記載のソケットアダプタ。
【請求項２３】
前記電圧タップは、前記施設に供給される電力の電圧を測定するために利用される、請求項２２に記載のソケットアダプタ。
【請求項２４】
前記電圧タップは、前記電力線通信モジュールに電力を提供する、請求項２２に記載のソケットアダプタ。
【手続補正２】
【補正対象書類名】明細書
【補正対象項目名】００１２
【補正方法】変更
【補正の内容】
【００１２】
本明細書に記載される、刊行物、特許、および特許出願はすべて各個々の刊行物、特許、または特許出願が、参照することによって、組み込まれるように、具体的かつ個々に示される場合と同程度において、参照することによって、本明細書に組み込まれる。
本発明は、例えば、以下を提供する。
（項目１）
ワット時電力メータをローカル発電機インバータに相互接続するためのシステムであって、
電力消費および電力品質を測定するための電力メータと、
電力供給者への電線管と電力消費者への電線管との間に位置付けられる、メータソケットと、
該電力メータと該メータソケットとの間のメータソケット挿入部と
を備え、ポートとともに形成される該メータソケット挿入部は、該ローカル発電機インバータに接続される、システム。
（項目２）
ブレーカパネルをさらに備え、上記ローカル発電機インバータは、該ブレーカパネルに連結されない、項目１に記載のシステム。
（項目３）
電力線の範囲内の複数のデバイスの電力消費を測定するための電力線ベースの通信ネットワークをさらに備える、項目１に記載のシステム。
（項目４）
上記電力線ベースの通信ネットワークは、電力線通信のためのＩＥＥＥ１９０１規格案に準拠する、項目３に記載のシステム。
（項目５）
電力線通信のための電力およびワット時測定電子機器と制御装置とをさらに備える、項目１に記載のシステム。
（項目６）
上記ローカル発電機インバータは、上記メータソケット挿入部に接続される、項目１に記載のシステム。
（項目７）
上記メータソケット挿入部は、は、インテリジェント電力管理ユニットをさらに備える、項目１に記載のシステム。
（項目８）
上記メータソケット挿入部は、内蔵電力測定電子機器および電力線通信モジュールに接続される統合された測定コイルをさらに備える、項目１に記載のシステム。
（項目９）
上記メータソケット挿入部は、内蔵電力測定電子機器および電力線通信モジュールに接続されるセンサをさらに備える、項目１に記載のシステム。
（項目１０）
上記電力メータ上に電圧タップをさらに備える、項目１に記載のシステム。
（項目１１）
上記電圧タップは、電力の消費を測定するために利用される、項目１０に記載のシステム。
（項目１２）
上記電圧タップは、内蔵電力測定電子機器および電力線通信モジュールに電力を提供する、項目１０に記載のシステム。
（項目１３）
上記メータソケット挿入部は、上記ローカル発電機インバータを上記電力供給者への電線管に接続するための可撓性ワイヤを備える、項目１に記載のシステム。
（項目１４）
上記メータソケットポートは、非可撓性シャントを含む、項目１に記載のシステム。
（項目１５）
ローカル発電機インバータを電力公益事業供給者に相互接続するための方法であって、
電力消費および電力品質を測定するための既存の電力メータを設置するステップと、
該電力公益事業供給者への電線管と電力消費者への電線管との間に位置付けられるメータソケットを設置するステップと、
該既存の電力メータと該メータソケットとの間にメータソケット挿入部を据え付けるステップと
を含み、ポートとともに形成される該メータソケット挿入部は、該ローカル発電機インバータに接続される、方法。
（項目１６）
電力線の範囲内の複数のデバイスの電力消費を測定するために、電力線ベースの通信ネットワークを上記メータソケット挿入部に接続するステップをさらに含む、項目１５に記載の方法。
（項目１７）
上記電力線ベースの通信ネットワークは、電力線通信のためのＩＥＥＥ１９０１規格案に準拠する、項目１６に記載の方法。